【事件の表示】
　平成１１年特許願第３４０２９８号「記録再生装置」拒絶査定不服審判事件〔平成１３年６月８日出願公開、特開２００１−１５５４５０〕について、次のとおり審決する。
【結　論】
　本件審判の請求は、成り立たない。
【理　由】
１．手続きの経緯・本願発明
　本願は、平成１１年１１月３０日に出願されたもので、当審の拒絶理由に対してなされた平成１８年５月１７日付け手続補正書により補正された明細書の特許請求の範囲の請求項１に係る発明（以下、「本願発明」という。）は、請求項１に記載された事項により特定される、次に記載されたとおりである。
「媒体に情報を記録し又は記録された情報を再生するヘッドを駆動するためのボイスコイルモータドライバを備え、前記ボイスコイルモータドライバにより前記ヘッドを前記媒体の目的位置にシーク動作を行い、フォロー動作を行うことによって情報を記録し又は記録された情報を再生する記録再生装置において、
　前記ヘッドのフォロー動作時とシーク動作時とで前記ボイスコイルモータドライバに供給する電源電圧を降圧することにより可変する可変手段を備え、
　前記フォロー動作時に前記シーク動作時に比べて低い電圧に可変することを特徴とする記録再生装置。」
　
２．引用例
（１）これに対して、当審における拒絶の理由で引用した特開平４−１５０７９４号公報（以下、「引用例１」という。）には、ブリッジ駆動回路およびそれを用いた磁気ディスク装置について、次の事項が記載されている（下線は、当審で付した。）。
　ア　「さてここで磁気ディスク装置では
磁気ヘッドを移動するためのボイスコイルモータの駆動を行なう。
シーク期間には磁気ヘッドを高速に移動するため、ボイスコイルモータに大電流を供給する。
フォロイング期間には、目標トラック上をフォローするだけでよいので、小電流を供給する。
　上記の磁気ディスク装置の駆動の特徴の１つは、大電流の駆動（シーク期間）と、小電流の駆動（フオロイング期間）が、混在して行なわれることである。」（第３頁左下欄第８行〜同右下欄第１３行）
　イ　「リニア駆動における消費電力の大きさは、上記の例では、フォロイング期間では負荷電流ＩＬが１００ｍＡと小さいのに負荷であるボイスコイルモータの抵抗が１０Ω程度と小さい。このためボイスコイルモータではおおよそ１Ｖ程度の電圧しか消費されない、従って
電源電圧
　ウ　「また、本発明によると
ＶＣＭドライバ回路
　
　上記記載によれば、引用例１には、次の発明（以下、「引用例１発明」という。）が記載されている。
「磁気ヘッドを移動するためのボイスコイルモータの駆動を行なう磁気ディスク装置において、
　シーク期間にはボイスコイルモータに大電流を供給し、フォロイング期間には小電流を供給する磁気ディスク装置。」
　
（２）同じく、当審における拒絶の理由で引用した特開平７−２８７９１６号公報（平以下、「引用例２」という。）には、取外し自在のディスク装置について、次の事項が記載されている（下線は、当審で付した。）。
　エ　「【０００４】
　【発明が解決しようとする課題】
取外し自在のディスク装置
デスクトップ形装置は５ボルト及び１２ボルトの両方の電源
　【０００５】従って、従来技術では、携帯形コンピュータの環境において５ボルトで機能するディスクドライブ装置が必要とされ、一方、ディスクトップ形コンピュータの環境において１２ボルトで機能するディスクドライブが切望される。本発明の第１の目的は、
アクチュエータが５ボルト又は１２ボルトの何れでもドライブし得る
　オ　「【００１５】電流変換器１１２への電圧は、Ｄ／Ａ変換器からの信号に応じて、ＶＣＭドライバ回路１１４を制御する。相互コンダクタンス増幅器は電流を制御するために典型的に使用される。
ＶＣＭドライバ回路は、５ボルトと１２ボルトの動作の両方に適合するよう比較的広い電圧レンジで動作する
　
（３）同じく、当審における拒絶の理由で引用した特開平１１−５３７４３号公報（平成１１年２月２６日公開。以下、「引用例３」という。）には、光ディスク再生装置及びシーク制御方法について、次の事項が記載されている（下線は、当審で付した。）。
　カ　「【００１９】一般に、光ディスク再生装置においては、サーチ動作における光ピックアップユニットの移動（シーク）動作、例えば、光ピックアップ移動手段が光ピックアップユニットを光ディスク半径方向へ移動させる場合には、光ピックアップ移動手段への電源供給手段からの印加電圧が高い方が、安定した光ピックアップユニットの移動制御（特に密シーク時における精密移動制御）を行うことが可能となる。しかし、印加電圧が高くなると、消費電力が大きくなるうえ、光ピックアップユニット移動時の騒音が大きくなるという欠点があった。逆に、印加電圧を低くすると、消費電力は小さくなるが、光ピックアップ移動手段の負荷変動に対応できなくなるおそれ（特に粗シーク時）がある、という問題があった。」
　キ　「【００５６】ステップ７の粗シークか密シークかの判断結果に従い、スレッドモータ３０５に供給される印加電圧がスレッドモータ電圧制御手段２４によって制御される。すなわち、密シークと判断された場合には、スレッドモータ電圧制御手段２４の制御により、
スレッドモータ電圧切替手段３２がバッテリー２３からの印加電圧を３．９Ｖ
スレッドモータ電圧切替手段３２が２．５Ｖ
　　
（４）同じく、当審における拒絶の理由で引用した特開平３−２９３９８６号公報（以下「引用例４」という。）には、モータ制御回路について、次の事項が記載されている（下線は、当審で付した。）。
　ク　「第１図は本発明のモータ制御回路の一実施例のブロック図である。
　本実施例では、速度制御回路１はモータ回転速度信号検出回路３より出力された回転速度信号ａを受け、この回転速度信号ａに対応する速度差電圧すを発生し、位相制御回路２は回転位相基準信号Ｃとモータ回転位相検出回路４より出力された回転位相信号ｄとを受け、これらの位相差に対応する位相差電圧ｅを発生する。これらの速度差電圧すと位相差電圧ｅを加算器５で加算してモータ駆動電圧ｆを発生する。そして、
可変電源回路６
〔発明の効果〕
　以上説明したように本発明は、回転速度信号によりモータ供給電圧を起動時には高電圧にし、定常回転時には低電圧に可変するようにしたので、モータの起動の高速化、低消費電力化という効果を有する。」（第２頁左欄第７行〜同右欄第９行）
　
３．対比
　本願発明と引用例１発明とを対比する。
　引用例１発明における、磁気ディスク装置の「磁気ヘッド」は、本願発明の、磁気ディスクに情報を記録し又は情報を再生する「ヘッド」に相当する。
　引用例１発明の「ボイスコイルモータ」は、磁気ヘッドを移動するためのモータであり、ボイスコイルモータはドライバを備えていることは明らか（上記「２．（１）ウ」「２．（２）オ」参照）であるから、ボイスコイルモータがドライバを備えている点において、本願発明の「ヘッドを駆動するためのボイスコイルモータドライバを備え」た構成といえる。
　引用例１発明の「シーク期間」の動作は、本願発明の「シーク動作」に相当し、また引用例１発明の「フォロイング期間」の動作は、本願発明の「フォロー動作」に相当する。
　引用例１発明の「磁気ディスク装置」は、本願発明の、ボイスコイルモータドライバによりヘッドを媒体の目的位置にシーク動作を行い、フォロー動作を行うことによって情報を記録し又は記録された情報を再生する「記録再生装置」に相当する。
　
　引用例１発明の「シーク期間」は、磁気ヘッドを目標トラックの位置まで高速に移動するための期間であり、本願発明の「シーク動作時」に相当する。
　引用例１発明の「フォロイング期間」は、磁気ヘッドを目標トラック上に固定してこれをフォローする期間であり、本願発明の「フォロー動作時」に相当する。
　引用例１発明の「フォロイング期間」に印加される電源電圧（上記「２．（１）イ」参照）は、ボイスコイルモータの電源電圧であり、「シーク期間」においても印加される電源電圧であるから、引用例１発明においても、本願発明の、ヘッドのフォロー動作時とシーク動作時とでボイスコイルモータドライバに供給する「電源電圧」を備えているといえる。
　引用例１発明の「シーク期間にはボイスコイルモータに大電流を供給し、フォロイング期間には小電流を供給する」ことは、シーク期間の電流がフォロイング期間より大であるから、フォロイング期間の電圧がシーク期間のものより低く変わることを意味しているから、本願発明の「フォロー動作時に」「シーク動作時に比べて低い電圧」とすることに相当する。
　　
　したがって、両者の一致点及び相違点は、次のとおりである。
＜一致点＞
「媒体に情報を記録し又は記録された情報を再生するヘッドを駆動するためのボイスコイルモータドライバを備え、前記ボイスコイルモータドライバにより前記ヘッドを前記媒体の目的位置にシーク動作を行い、フォロー動作を行うことによって情報を記録し又は記録された情報を再生する記録再生装置において、
　前記ヘッドのフォロー動作時とシーク動作時とで前記ボイスコイルモータドライバに供給する電源電圧を備え、
　前記フォロー動作時に前記シーク動作時に比べて低い電圧とする記録再生装置。」
＜相違点＞
　本願発明では「電源電圧を降圧することにより可変する可変手段」を備えて、フォロー動作時にシーク動作時に比べて低い電圧に「可変する」と、特定しているのに対して、引用例１発明には、このような特定された構成をそなえていない点。
　
 ４．当審の判断
　上記相違点について検討する。
　引用例２には、携帯形コンピュータに取り付けられるディスク装置のアクチュエータが５ボルト又は１２ボルトの何れの電源でも動作しえるＶＣＭドライバ回路が記載されている。引用例３には、スレッドモータが３．９Ｖ又は２．５Ｖで制御されることが記載されている。また、低消費電力化のために、モータ供給電圧を高電圧と低電圧に可変する可変電源回路が引用例４に記載されてるように、モータに供給する電圧を可変させて消費電力を低く抑えていることは周知（特開平３−１２８６９４号公報（出力電圧可変可能な電源１参照））である。
　してみれば、低消費電力で駆動することを目的とした引用例１発明のディスク装置において、シーク期間にはボイスコイルモータに大電流を供給し、フォロイング期間には小電流を供給するために、電源電圧を降圧することにより可変する可変手段を設け、フォロイング期間時にシーク期間動作時に比べて低い電圧に可変するように構成することは、当業者であれば容易に推考できることと認められる。当該相違点は、格別なものではなく、奏される効果も当業者が当然に予測できる範囲内のものと認められる。 
　 
５．むすび
　したがって、本願発明は、引用例１乃至４に記載された発明に基いて、当業者が容易に発明をすることができたものであるので、特許法第２９条第２項の規定により特許を受けることができない。
  よって、結論のとおり審決する。